(57)【要約】【課題】上衣服の装着状態を維持しつつ、容易に下衣服を降ろせることができ、かつ、降ろす前の状態にも容易に戻す。【解決手段】ベスト１０に取り付けた上ベルト２２と、雨合羽ズボン１２に取り付けた下ベルト３２とを、着脱具３０を介して連結し、必要に応じて、着脱具のオス部３４とメス部３０とを離脱させることで、雨合羽ズボン１２の上げ降ろし作業を容易に行うことが可能となる。【選択図】図１
2010281028.tif 000002
【特許請求の範囲】
【請求項１】
互いに着脱可能な一対の着脱部材を備えた着脱具と、
一端部が上衣服における脇下部から腰部にかけた領域に取り付けられ、他端部に前記一
方の着脱部材が取り付けられた吊下げ本体部と、
一端部が下衣服の上部開口端に取り付けられ、他端部に前記他方の着脱部材が取り付け
られた吊下げ補助具と、
を有することを特徴とする衣服吊下げ保持装置。
【請求項２】
両肩部に通すための一対の環状部が設けられこの環状部が前記両肩部に装着されること
で保持状態となる肩掛け保持具と、
互いに着脱可能な一対の着脱部材を備えた着脱具と、
一端部が前記肩掛け保持具の下端部に一端部が取り付けられ、他端部に前記一方の着脱
部材が取り付けられた吊下げ本体部と、
一端部が下衣服の上部開口端に取り付けられ、他端部に前記他方の着脱部材が取り付け
られた吊下げ補助具と、
を有することを特徴とする衣服吊下げ保持装置。
【請求項３】
前記一対の環状部同士を互いに連結することで、前記保持状態を安定させる安定部を有
することを特徴とする請求項２記載の衣服吊下げ保持装置。
【請求項４】
前記着脱部材の一方又は他方が弾性力で係合するロック爪であり、前記着脱部材の他方
又は一方が前記ロック爪が係止される係止部であり、前記吊下げ本体部と前記吊下げ補助
具の互いの連結動作に連動してロック爪が弾性変形することで係止部に係止し、外部から
のロック爪への前記弾性力に抗した操作により係止部への係止状態が解除されることを特
徴とする請求項１〜請求項３の何れか１項記載の衣服吊下げ装置。
【請求項５】
前記吊下げ補助具には、前記着脱具と前記下衣服への取付機能を兼ねる複数のボタンホ
ールが設けられた連結領域が設けられ、前記ボタンホールを選択的に下衣服に設けられた
ボタンに装着することで前記下衣服の高さ調整を可能とすることを特徴とする請求項１〜
請求項４の何れか１項記載の衣服吊下げ装置。
【請求項６】
前記吊下げ補助具と下衣服とのそれぞれに、前記着脱具と前記下衣服への取付機能を兼
ねるフック部又はループ部で構成される面ファスナーが設けられ、選択的にフック部とル
ープ部との装着位置を変更する前記下衣服の高さ調整を可能とすることを特徴とする請求
項１〜請求項４の何れか１項記載の衣服吊下げ装置。
【請求項７】
前記吊下げ補助具が、前記下衣服にクリップで取り付けられていることを特徴とする請
求項１〜請求項４の何れか１項記載の衣服吊下げ装置。
【請求項８】
ベスト両脇の下にベルトとベルト脱着具の一方を取り付け、下衣服側面の上部には前記
脱着具の他方を取り付けることにより、容易に下衣服を分離できる機能を持ったことを特
徴とするサスペンダー装置。
【請求項９】
左右の肩に環状のベルトとその環状のベルトに結ばれた左右を結ぶベルトにより両肩に
安定させ、安定したその環状の下部よりベルトとベルト脱着具の片方を取り付け、一方は
下衣服側面上部へその脱着具の相棒を取り付けることにより、脱着具により容易に下衣服
を分離できる機能を持ったことを特徴とするサスペンダー装置。
【請求項１０】
前記着脱具が、前記下衣服側面の上部への連結を兼ねる、ボタンホールとボタンとで構
成されていることを特徴とする請求項８又は請求項９記載のサスペンダー装置。
【請求項１１】
前記着脱具が、前記下衣服側面の上部への連結を兼ねる、面ファスナーで構成されてい
ることを特徴とする請求項８又は請求項９記載のサスペンダー装置。
【請求項１２】
前記着脱具が、挟み式接続具により前記下衣服側面の上部へ連結されていることを特徴
とする請求項８又は請求項９記載のサスペンダー装置。
【発明の詳細な説明】
【技術分野】
【０００１】
本発明は、衣服吊下げ保持装置及びサスペンダー装置に関するものである。
【背景技術】
【０００２】
従来、一般に使用されているサスペンダーは後ろ２ヶ所（１箇所もある）と前２箇所を
固定している（一例として、特許文献１参照）。
【０００３】
このような構成のサスペンダーにおいて、着脱具がサスペンダーベルトにより両肩を通
して繋がっているため、ズボンを下ろす時に前と後ろの脱着具を同時に取外し出来ず、脱
着具がズレることが多い。
【０００４】
また、ズボンを履く時にサスペンダーの着脱具を容易に固定することが出来ない、とき
にはサスペンダーを再度両肩に通し直す必要がある、落下しないように注意する必要があ
る、等々の煩雑さがあった。
【０００５】
ここで、サスペンダー付き合羽（ズボン）の後ろは固定され、前に２箇所の脱着具の方
式で、雨等侵入防止のため前チャックが無いものが多く、生理的現象に対応する時にもサ
スペンダーを両肩より後ろへ外す必要があり、取り付けるときは上着（合羽）を着ている
時は上着の中より両肩へ通す時ため非常に大変であった。
【特許文献１】特開２００５−１２０５５６公報
【発明の概要】
【発明が解決しようとする課題】
【０００６】
本発明は上記事実を考慮し、上衣服の装着状態を維持しつつ、容易に下衣服を降ろせる
ことができ、かつ、降ろす前の状態にも容易に戻すことができる衣服吊下げ保持装置及び
サスペンダー装置を得ることが目的である。
【課題を解決するための手段】
【０００７】
第１の発明は、互いに着脱可能な一対の着脱部材を備えた着脱具と、一端部が上衣服に
おける脇下部から腰部にかけた領域に取り付けられ、他端部に前記一方の着脱部材が取り
付けられた吊下げ本体部と、一端部が下衣服の上部開口端に取り付けられ、他端部に前記
他方の着脱部材が取り付けられた吊下げ補助具と、を有することを特徴としている。
【０００８】
第１の発明によれば、吊下げ本体部が上衣服に取り付けられ、吊下げ補助具が下衣服に
取り付けられ、この吊下げ本体部と吊下げ補助具とが、着脱可能な一対の着脱部材を備え
た着脱具によって連結されているため、吊下げ本体部の上衣服への取り付け状態、或いは
吊下げ補助具の下衣服への取り付け状態を維持して、両者を分離することができる。
【０００９】
また、第２の発明は、両肩部に通すための一対の環状部が設けられこの環状部が前記両
肩部に装着されることで保持状態となる肩掛け保持具と、互いに着脱可能な一対の着脱部
材を備えた着脱具と、一端部が前記肩掛け保持具の下端部に一端部が取り付けられ、他端
部に前記一方の着脱部材が取り付けられた吊下げ本体部と、一端部が下衣服の上部開口端
に取り付けられ、他端部に前記他方の着脱部材が取り付けられた吊下げ補助具と、を有す
ることを特徴としている。
【００１０】
第２の発明によれば、吊下げ本体部が肩掛け保持具に取り付けられ、吊下げ補助具が下
衣服に取り付けられ、この吊下げ本体部と吊下げ補助具とが、着脱可能な一対の着脱部材
を備えた着脱具によって連結されているため、吊下げ本体部の肩掛け保持具への取り付け
状態、或いは吊下げ補助具の下衣服への取り付け状態を維持して、両者を分離することが
できる。
【００１１】
上記第２の発明において、前記一対の環状部同士を互いに連結することで、前記保持状
態を安定させる安定部をさらに有することを特徴としている。
【００１２】
安定部での安定状態を維持したまま、吊下げ補助具を分離することができるため、下衣
服の上げ降ろしが容易となる。
【００１３】
第１の発明又は第２の発明において、前記着脱部材の一方又は他方が弾性力で係合する
ロック爪であり、前記着脱部材の他方又は一方が前記ロック爪が係止される係止部であり
、前記吊下げ本体部と前記吊下げ補助具の互いの連結動作に連動してロック爪が弾性変形
することで係止部に係止し、外部からのロック爪への前記弾性力に抗した操作により係止
部への係止状態が解除されることを特徴としている。
【００１４】
着脱具として弾性力で係合するロック爪と係止部を備えることで、所謂ワンタッチでの
着脱が可能となり、操作性がさらに向上する。
【００１５】
第１の発明又は第２の発明において、前記吊下げ補助具には、前記着脱具と前記下衣服
への取付機能を兼ねる複数のボタンホールが設けられた連結領域が設けられ、前記ボタン
ホールを選択的に下衣服に設けられたボタンに装着することで前記下衣服の高さ調整を可
能とすることでを特徴としている。
【００１６】
下衣服の高さ調整を兼ねるので、作業性がさらに向上する。
【００１７】
第１の発明又は第２の発明において、前記吊下げ補助具と下衣服とのそれぞれに、前記
着脱具と前記下衣服への取付機能を兼ねるフック部又はループ部で構成される面ファスナ
ーが設けられ、選択的にフック部とループ部との装着位置を変更する前記下衣服の高さ調
整を可能とすることを特徴としている。
【００１８】
下衣服の高さ調整を兼ねるので、作業性がさらに向上する。また、調整幅が連続的に変
更できる利点を持つ。
【００１９】
第１の発明又は第２の発明において、前記吊下げ補助具が、前記下衣服にクリップで取
り付けられていることを特徴としている。
【００２０】
簡易的な構造であり、操作も簡単であり、かつコストダウンにつながる。
【００２１】
第３の発明は、ベスト両脇の下にベルトとベルト脱着具の一方を取り付け、下衣服側面
の上部には前記脱着具の他方を取り付けることにより、容易に下衣服を分離できる機能を
持ったことを特徴としている。
【００２２】
第４の発明は、左右の肩に環状のベルトとその環状のベルトに結ばれた左右を結ぶベル
トにより両肩に安定させ、安定したその環状の下部よりベルトとベルト脱着具の片方を取
り付け、一方は下衣服側面上部へその脱着具の相棒を取り付けることにより、脱着具によ
り容易に下衣服を分離できる機能を持ったことを特徴としている。
【００２３】
第３の発明又は第４の発明において、前記着脱具が、前記下衣服側面の上部への連結を
兼ねる、ボタンホールとボタンとで構成されていることを特徴としている。
【００２４】
第３の発明又は第４の発明において、前記着脱具が、前記下衣服側面の上部への連結を
兼ねる、面ファスナーで構成されていることを特徴としている。
【００２５】
第３の発明又は第４の発明において、前記着脱具が、挟み式接続具により前記下衣服側
面の上部へ連結されていることを特徴としている。
【００２６】
下衣服（例えば、ズボン）の両側面を吊り上げる手段を持った構造において、上衣服（
例えば、ベスト）の両側面より下衣服の両側面を接続具で吊り上げる構造であり、サスペ
ンダーの脱着操作を容易にしたものである。
【００２７】
なお、上衣服に替わり合羽の内側に接続具を取り付けても良い。
【００２８】
また、両肩に環状のベルトを掛けて、その両環状のベルト同士を結ぶベルトにより肩に
安定させ、安定したその環状の下部にベルトと接続具で下衣服の両側面を吊り上げる手段
を持たせてもよい。
【００２９】
本構成によれば、サイドに脱着具があるため、上衣服を着たままでも、上衣服の裾を持
ち上げるだけで着脱具の脱着に寄与することができる。
【発明の効果】
【００３０】
本発明によれば、上衣服の装着状態を維持しつつ、容易に下衣服を降ろせることができ
、かつ、降ろす前の状態にも容易に戻すことができる。
【００３１】
例えば、雨が降っているときに雨合羽の上着を脱がずに容易にズボンを下ろすことが可
能となり、濡れることが少なくなる。通常のズボンを履いている時も効果は大きく、大便
をするとき上着をそのまま着ていられ、サスペンダーがずれて落下することもなくなり、
ズボンを履く時には容易にサスペンダーを接続することが出来る。
【発明を実施するための形態】
【００３２】
（第１の実施の形態）
図１乃至図３には、本発明の衣服吊下げ保持装置及びサスペンダー装置の第１の実施の
形態が示されている。
【００３３】
第１の実施の形態では、上衣服としてベスト１０、下衣服として雨合羽ズボン１２が適
用されている。
【００３４】
ベスト１０は、前開きタイプであり、装着者１４が着用する場合には、ファスナー１６
のエレメント（ボールとカップリング）１６Ａを、コネクタ１６Ｂのスライドによって離
脱した状態とし、着用後にコネクタ１６Ｂを上にスライドさせることで、エレメントを連
結する。なお、図１では、下から約１／２までコネクタ１６Ｂをスライドさせた状態を示
している。
【００３５】
ベスト１０の両側面、すなわち、装着者１４の脇の下部１４Ａ、腰部１４Ｂより上部に
サスペンダーの吊下げ本体部を構成する上ベルト２２の一端部が固定されている。
【００３６】
この上ベルト２２の一端部は、予めベスト１４に布材２４を介して縫製された矩形リン
グ２６に通すことによって巻き掛けられるようにして固定されている（図２参照）。
【００３７】
図２及び図３に示される如く、上ベルト２２の他端部は、着脱部２８の一方（メス部３
０）が取り付けられている。
【００３８】
前記雨合羽ズボン１２の上部開口端の両側部（装着者１４の腰骨が突き出ている近傍）
には、吊下げ補助具を構成する下ベルト３２の一端部が固定されている。また、この下ベ
ルト３２の一端部は、雨合羽ズボン１２の内側に縫合されている（図２参照）。
【００３９】
図２及び図３に示される如く、下ベルト３２の他端部は、着脱部２８の他方（オス部３
４）が取り付けられている。
【００４０】
上ベルト２２が取り付けられた着脱部２８のメス部３０は、内容が空洞とされた直方体
形状であり、図３の両側面は、略台形の切欠部３０Ａが形成され、内方空間と連通してい
る。
【００４１】
一方、下ベルト３２が取り付けられた着脱部２８のオス部３４は、所謂フォーク状に３
本の突起部３４Ｌ、３４Ｃ、３４Ｒが形成されている。中央の突起部３４Ｃがガイド部と
して役目を有しており、前記メス部３０の空洞内に設けられた案内レール（図示省略）に
沿って移動することで、オス部３０とメス部３４との装着時の相対位置を維持することが
できる。
【００４２】
また、両側の突起部３４Ｌ、３４Ｒは、弾性力で図３の左右に変形可能な爪部として役
目を有している。この突起部３４Ｌ、３４Ｒは、メス部３０への挿入時に挿入開口に当接
することで、互いに接近する方向に弾性変形し、前記切欠部３０Ａに到達すると、当該弾
性変形が解除され、切欠部３０Ａに係止されるようになっている。すなわち、切欠部３０
Ａは、係止部としての役目を有することになり、突起部３４Ｌ、３４Ｒが切欠部３０Ａに
収容されている状態では、オス部３４とメス部３０とは係合状態が維持される。
【００４３】
また、突起部３４Ｌ、３４Ｒをメス部３０の内側へ押圧操作すると、突起部３４Ｌ、３
４Ｒが弾性変形して、メス部３０からの取り外しが可能となる。
【００４４】
すなわち、例えば、生理的現象に伴い、雨合羽ズボン１２を降ろすときの動作は、サス
ペンダーはそのまま（ベスト１０を着用したまま）、着脱部２８のオス部３４とメス部３
０とを離脱させるのみとなる。
【００４５】
以下に本実施の形態の作用を説明する。
【００４６】
第１の実施の形態では、ベスト１０と雨合羽ズボン１２とは対で持ち運び、ベスト１０
は予め着用していてもよいし、雨合羽スボン１２の着用と同時に着用してもよい。
【００４７】
雨合羽ズボン１２を着用する必要が生じたとき、まず、ベスト１０を着用していない場
合は、これを着用する。このとき、雨合羽スボン１２とは無関係に着用可能であるため、
装着者１４は、ファスナー１６のエレメント（ボールとカップリング）１６Ａを、コネク
タ１６Ｂをスライドさせて離脱した状態とし、着用後にコネクタ１６Ｂを上にスライドさ
せることで、エレメントを連結する。
【００４８】
次に、雨合羽スボン１２を着用すると、ベスト１０側に取り付けられた上ベルト２２と
、雨合羽ズボン１２側に取り付けられた下ベルト３２とが上下で対向する位置となる。
【００４９】
この状態で、着脱具２８のメス部３０の空洞に対して、オス部３４の突起部３４Ｌ、３
４Ｃ、３４Ｒを挿入する。この挿入動作に伴って、中央の突起部３４Ｃにより挿入方向が
案内されるため、特に注視することなく円滑に挿入動作を行うことができる。
【００５０】
また、この挿入動作に伴って、左右の突起部３４Ｌ、３４Ｒが互いに内側に弾性変形し
、メス部３０の切欠部３０Ａに到達すると、弾性変形が解除され、切欠部３０Ａに係止さ
れる。
【００５１】
これにより、着脱部２８のオス部３４とメス部３０とは係合状態が維持され、雨合羽ス
ボン１２は、ベスト１０に吊り下げされた状態で保持される。
【００５２】
次に、雨合羽スボン１２を着用しているときに、生理的現象等の理由で雨合羽ズボンを
降ろす必要が生じると、従来、サスペンダーを用いているため、全て（例えば、後ろ１箇
所、前２箇所）の係合を解除して、完全分離しなければならなかった。
【００５３】
これに対して第１の実施の形態では、上ベルト２２と下ベルト３２との間に着脱具３０
を設け、容易に着脱可能に連結してあるため、必要に応じて、この着脱具３０のオス部３
４とメス部３０とを離脱すればよい。
【００５４】
より具体的には、オス部３４の突起部３４Ｌ、３４Ｒを内側に押圧操作する。これによ
り、突起部３４Ｌ、３４Ｒが弾性変形し、切欠部３０Ａとの係止状態が解除される。この
状態で、オス部３４をメス部３０から引き抜くことで、上ベルト２２と下ベルト３２とを
容易に分離することができ、結果として、雨合羽スボン１２がベスト１０から分離される
。
【００５５】
このように、第１の実施の形態では、ベスト１０に取り付けた上ベルト２２と、雨合羽
ズボン１２に取り付けた下ベルト３２とを、着脱具３０を介して連結し、必要に応じて、
着脱具のオス部３４とメス部３０とを離脱させることで、雨合羽ズボン１２の上げ降ろし
作業を容易に行うことが可能となる。
【００５６】
なお、上衣服はベスト１０に限らず、下着類や上着類、チャツ、セーター等であっても
よい。また、下衣服も雨合羽スボン１２に限らず、通常のスボン、スカート等であっても
よい。
【００５７】
（第２の実施の形態）
以下に本発明の第２の実施の形態について説明する。なお、前記第１の実施の形態と同
一構成部分については同一の符号を付して、その構成の説明を省略する。
【００５８】
図４及び図５に示される如く、第２の実施の形態は、前記第１の実施の形態で示したベ
スト１０（図１参照）に代わりに、肩掛け保持具５０が設けられている。
【００５９】
肩掛け保持部５０は、右肩用リングベルト５０Ａと左肩用リングベルト５０Ｂを備えて
いる。右肩用リングベルト５０Ａと左肩用リングベルト５０Ｂの間には、後安定用ベルト
５０Ｃで掛け渡されている。この後安定用ベルト５０Ｃは、装着者１４（図１参照、図４
では図示省略）が装着したときの両肩からのズレを防止する。
【００６０】
また、右肩用リングベルト５０Ａと左肩用リングベルト５０Ｂとの間には、前安定用ベ
ルト５０Ｄが掛け渡されている。この前安定用ベルト５０Ｄには、長さ調整付脱着具５０
Ｅが取り付けられている。この長さ調整付脱着具５０Ｅにより、装着者１４は、装着状態
を所望の状態に調整でき、かつ着脱が容易となる。
【００６１】
図４及び図５に示される如く、右肩用リングベルト５０Ａと左肩用リングベルト５０Ｂ
のそれぞれの下端部には、上ベルト２２の上端部が取り付けられている（なお、右肩用リ
ングベルト５０Ａと左肩用リングベルト５０Ｂと上ベルト２２とは同一材料であってもよ
い）。この上ベルト２２の下端部は、着脱具２８のメス部３０が長さ調整可能に取り付け
られている。
【００６２】
着脱具２８のオス部３４は、下ベルト３２の上端に取り付けられ、当該下ベルト３２の
下端部は下衣服（例えば、雨合羽ズボン１２）の側面上部に取り付けられている。
【００６３】
この第２の実施の形態によれば、ベスト１０（図１参照）が不要であり、他の上衣類が
下層側、或いは上層側にあっても違和感がなく、予め右肩用リングベルト５０Ａと左肩用
リングベルト５０Ｂとを両肩に通し、前安定用ベルト５０Ｄの長さ調整付着脱具５０Ｅに
より装着しておくことができる。
【００６４】
この状態で、雨合羽スボン１２を履く必要が生じた場合、単純に雨合羽ズボン１２を履
き、着脱具２８のオス部３４とメス部３０とを連結することで、雨合羽スボン１２の落下
を防止し、常に正しく装着させておくことができる。
【００６５】
さらに、この雨合羽ズボン１２を脱ぐときは、逆に着脱具２８のオス部３４とメス部３
０とを離脱すればよい。
【００６６】
（第３の実施の形態）
以下に本発明の第２の実施の形態について説明する。なお、前記第１の実施の形態及び
第２の実施の形態と同一構成部分については同一の符号を付して、その構成の説明を省略
する。
【００６７】
第３の実施の形態は、第１の実施の形態及び第２の実施の形態において、下ベルト３２
を雨合羽ズボン１２に取り付ける手段（縫合処理）と、上ベルト２２との連結手段（着脱
具２８）と、別々に設けていたのに対し、これらを共通化した点に特徴がある。
【００６８】
図６（Ａ）に示される如く、この第３の実施の形態では、上ベルト２２と下ベルト３２
（図１等参照）の区別がなく、単体のベルト５２が設けられ、このベルト５２の上端に、
第１の実施の形態であればベスト１０（図１参照）、第２の実施の形態であれば左肩用リ
ングベルト５０Ａ又は右肩用リングベルト５０Ｂが取り付けられている。
【００６９】
このベルト５２には、長手方向（上下方向）に沿って複数のボタンホール５２Ａ〜５２
Ｅが設けられている。
【００７０】
一方、下衣服（例えば、雨合羽スボン１２）の上端開口端の内側には、ボタン５４が縫
合されている。
【００７１】
このボタン５４は、前記ベルト５２のボタンホール５２Ａ〜５２Ｅに対応しており、選
択的に所望のボタンホール５２Ａ〜５２Ｅへボタン５４をセットすることが可能となって
いる（図６（Ｂ）参照）。
【００７２】
この第３の実施の形態において、このボタン５４のボタンホール５２Ａ〜５２Ｅへの装
着により、雨合羽ズボン１２を吊り上げるようにしたものである。ボタンホール５２Ａ〜
５２Ｅを高さ方向に数個設けることにより、吊り上げる長さを調整することができる。
【００７３】
ベルト５２は、ベスト１０の場合に内側に取り付けてもよいし、外側に取り付けても良
い。さらに、ベスト１０に限らず、上着の内側へ取り付けても同様の効果を得られる。
【００７４】
（第４の実施の形態）
以下に本発明の第２の実施の形態について説明する。なお、前記第１の実施の形態乃至
第３の実施の形態と同一構成部分については同一の符号を付して、その構成の説明を省略
する。
【００７５】
第４の実施の形態は、第１の実施の形態及び第２の実施の形態における着脱具２８の変
形例である。
【００７６】
図７に示される如く、この第４の実施の形態では、上ベルト２２と下ベルト３２が重な
る領域を高さ調整領域とし、この領域に面ファスナ５６のフック部５８とループ部６０を
設けた。例えば、図７に示される如く、上ベルト２２にフック部５８が取り付けられ、下
ベルト３２にループ部６０が取り付けられている。
【００７７】
この第４の実施の形態において、下衣服（雨合羽スボン１２等）を履き、その後、上ベ
ルト２２と下ベルト３２とを重ね合わせることで、面ファスナ５６のフック部５８とルー
プ部５８とが互いに係合し合い、この係合力によって、雨合羽ズボン１２を吊り上げるこ
とができる。このとき、上ベルト２２と下ベルト３２との重ね合わせ量を変更することで
、簡単に吊り上げる長さを調整することができる。
【００７８】
なお、上ベルト２２は、ベスト１０の場合に内側に取り付けてもよいし、外側に取り付
けても良い。さらに、ベスト１０に限らず、上着の内側へ取り付けても同様の効果を得ら
れる。
【００７９】
なお、下ベルト３２を下衣服（雨合羽ズボン１２等）に取り付ける場合に、上記第１の
実施の形態や第２の実施の形態では、縫合処理で固定したが、図８に示される如く、汎用
のクリップ５８を用いて、下衣類（雨合羽ズボン１２等）の上端に挟持固定するようにし
てもよい。
【図面の簡単な説明】
【００８０】
【図１】第１の実施の形態に係るサスペンダーの装着状態を示す概略図である。
【図２】第１の実施の形態に係るサスペンダーの側面図である。
【図３】図２の右側面図である。
【図４】第２の実施の形態に係るサスペンダーの装着状態を示す概略図である。
【図５】第２の実施の形態に係るサスペンダーの概念図である。
【図６】第３の実施の形態に係るサスペンダーを示し、（Ａ）はボタンをボタンホールに装着する前、（Ｂ）はボタンをボタンホールに装着した後を示す。
【図７】第４の実施の形態に係るサスペンダーの着脱具の側面図である。
【図８】下ベルトと下衣類との取り付け状態の変形例に係る斜視図である。
【符号の説明】
【００８１】
１０    ベスト（上衣服）
１２    雨合羽ズボン（下衣服）
１４    装着者
１６    ファスナー
１６Ａ    エレメント
１６Ｂ    コネクタ
１４Ａ    下部
１４Ｂ    腰部
２２    上ベルト（吊下げ補本体部）
２４    布材（吊下げ本体部）
２６    矩形リング（吊下げ本体部）
２８    着脱部
３０    メス部
３２    下ベルト（吊下げ補助具）
３６０Ａ    切欠部
３４    オス部
３４Ｌ、３４Ｃ、３４Ｒ    突起部
５０    肩掛け保持具
５０Ａ    右肩用リングベルト
５０Ｂ    左肩用リングベルト
５０Ｃ    後安定用ベルト
５０Ｄ    前安定用ベルト
５０Ｅ    長さ調整付脱着具
５２    ベルト
５２Ａ〜５２Ｅ    ボタンホール
５４    ボタン
５６    面ファスナ
５８    フック部
６０    ループ部
６２    クリップ
【図１】
2010281028.tif 000003
【図２】
2010281028.tif 000004
【図３】
2010281028.tif 000005
【図４】
2010281028.tif 000006
【図５】
2010281028.tif 000007
【図６】
2010281028.tif 000008
【図７】
2010281028.tif 000009
【図８】
2010281028.tif 000010
【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
使用者の両肩部を通すための一対の環状部を有する肩掛け保持具と、
前記一対の環状部同士を互いに連結する連結部と、
前記肩掛け保持具の下端部のそれぞれに一端部が取り付けられた一対の吊下げ本体部と、
下衣服の上部開口端の両側部のそれぞれに一端部が取り付けられた一対の吊下げ補助具と、
互いに着脱可能な一対の着脱部材を有する一対の着脱具であって、前記一対の着脱部材のうちの一方の着脱部材のそれぞれが、前記一対の吊下げ本体部の他端部のそれぞれに取り付けられ、他方の着脱部材のそれぞれが前記一対の吊下げ補助具の他端部のそれぞれに取り付けられた一対の着脱具と、
を備え、
前記使用者が前記肩掛け保持具を装着し、前記下衣服を着用した際に、前記一対の吊下げ本体部と前記一対の吊下げ補助具とがそれぞれ対向する位置となるようにした
ことを特徴とする衣服吊下げ保持装置。
【請求項２】
前記連結部は、
前記使用者の背面において前記一対の環状部同士を互いに連結する背面連結部と、
前記使用者の前面において前記一対の環状部同士を互いに連結する前面連結部と、
を備えることを特徴とする請求項１記載の衣服吊下げ保持装置。
【請求項３】
前記前面連結部は、
長さ調節可能な着脱部材である前面着脱具
を備えることを特徴とする請求項２記載の衣服吊下げ保持装置。